【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
横孔空洞部を施工現場で発泡ウレタンを製造しながら略隙間無く充填する充填方法であって、
横孔空洞部の閉塞端面から充填対象となる区画空間を間仕切りして型枠を組み立てる型枠組立工程と、
ウレタン注入装置により発泡ウレタンを前記区画空間に注入して硬化させるウレタン注入工程と、
前記区画空間内に隙間無く発泡ウレタンを充填して硬化させ、前記型枠を撤去して横孔空洞部の新たな閉塞端面を形成する型枠撤去工程と、
該新たな閉塞端面を基に上記型枠組立工程から型枠撤去工程までの全工程を１回または複数回繰り返して横穴空洞部を発泡ウレタンで埋めることを特徴とする横穴空洞部の充填方法。
【請求項２】
型枠組立工程とウレタン注入工程が、
区画空間の一部に発泡ウレタンを注入して硬化させる第１ウレタン注入工程と、
前記区画空間の発泡ウレタン注入側で区画空間を塞ぐ型枠を組み立てる型枠組立工程と、
前記塞がれた区画空間内に隙間無く発泡ウレタンを注入して硬化させる第２ウレタン注入工程とからなっていることを特徴とする請求項１に記載の充填方法。
【請求項３】
横孔空洞部を施工現場で発泡ウレタンを製造しながら略隙間無く充填する充填方法であって、
ブロック型枠に発泡ウレタンを注入して硬化させウレタンブロックを製作するブロック製作工程と、
横孔空洞部の充填対象となる区画空間に前記ウレタンブロックを積み重ねて空洞部を埋める積重ね工程と
前記空洞部の壁面と積み重ねられたウレタンブロックとの間に形成された隙間の手前側の開口を隙間用型枠で覆って仕切る隙間用型枠組立工程と、
ウレタン注入装置により発泡ウレタンを前記隙間用型枠で仕切られた区画空間の隙間に注入して硬化させる隙間用注入工程とからなることを特徴とする横穴空洞部の充填方法。
【請求項４】
横孔空洞部を施工現場で発泡ウレタンを製造しながら略隙間無く充填する充填方法であって、
ブロック型枠に発泡ウレタンを注入して硬化させウレタンブロックを製作するブロック製作工程と、
横孔空洞部の閉塞端面から充填対象となる区画空間を設定し、該区画空間に前記ウレタンブロックを積み重ねて空洞部を埋める積重ね工程と
前記空洞部の壁面と前記積み重ねられたウレタンブロックとの間に形成された隙間空間の手前側の開口部分を隙間用型枠で仕切る隙間用型枠組立工程と、
ウレタン注入装置により発泡ウレタンを前記隙間用型枠で仕切られた区画空間の隙間に注入して硬化させる隙間用注入工程と、
前記隙間用型枠を撤去して新たな閉塞端面を形成する隙間用型枠撤去工程とからなって、
該新たな閉塞端面を基に前記ブロック製作工程または前記積重ね工程から隙間用型枠撤去工程までの工程を１回または複数回繰り返して横穴空洞部を積み重ねられたウレタンブロックと隙間に充填された発泡ウレタンとで埋め戻してなることを特徴とする横穴空洞部の充填方法。
【請求項５】
横孔空洞部を施工現場で発泡ウレタンを製造しながら略隙間無く充填する充填方法であって、
ブロック型枠に発泡ウレタンを注入して硬化させウレタンブロックを製作するブロック製作工程と、
上記製作されたウレタンブロックを横孔空洞部内に奥行き方向に向かって高くなるように階段状に積み重ねる階段状積重ね工程と、
ウレタン注入装置により発泡ウレタンまたはウレタンを前記ウレタンブロック相互および横穴空洞部の壁面との隙間に注入して硬化させ埋め戻してなることを特徴とする横穴空洞部の充填方法。
【請求項６】
ブロック型枠工程が、上面が開放されて、ウレタンブロックを取り出し可能な開閉部を設けたボックス状のブロック型枠と、該ブロック型枠の内壁面に沿って広げられる合成樹脂製の袋状シートまたは袋体を用い、
該袋状シートまたは袋体の内部に発泡ウレタンを注入して硬化させブロック型枠の内周面に沿ったウレタンブロックを成形し、
ブロック型枠の開閉部を開いて該型枠からウレタンブロックを取り出して使用に供することを特徴とする請求項３から５のいずれかに記載の横穴空洞部の充填方法。
【請求項７】
隙間空間に充填される発泡ウレタンは、発泡率がウレタンブロックよりも低い原料を用いたことを特徴とする請求項３から５のいずれかに記載の横穴空洞部の充填方法。
【請求項８】
隙間用型枠組立工程と隙間用注入工程とが、横孔空洞部と、積み重ねられたウレタンブロックとの左右側方の隙間空間の手前側の開口を、発泡ウレタン充填用の注入孔を有しない側方型枠で覆う隙間用側方型枠組立工程と、
上記側方型枠で仕切られた隙間に発泡ウレタンを注入して硬化させる側方隙間用注入工程と、
横孔空洞部と積み重ねられたウレタンブロックの上方の隙間空間の手前側の開口を発泡ウレタン充填用の注入孔を有する上方型枠で覆う隙間用上方型枠組立工程と、上記注入孔から発泡ウレタンを注入して硬化させる上方隙間用注入工程とからなることを特徴とする請求項３から５のいずれかに記載の横穴空洞部の充填方法。
【手続補正２】
【補正対象書類名】明細書
【補正対象項目名】０００４
【補正方法】変更
【補正の内容】
【０００４】
この発明は、上記課題を解決するために、請求項１の横穴空洞部の充填方法の発明では、
横孔空洞部を施工現場で発泡ウレタンを製造しながら略隙間無く充填する充填方法であって、
横孔空洞部の閉塞端面から充填対象となる区画空間を間仕切りして型枠を組み立てる型枠組立工程と、
ウレタン注入装置により発泡ウレタンを前記区画空間に注入して硬化させるウレタン注入工程と、
前記区画空間内に隙間無く発泡ウレタンを充填して硬化させ、前記型枠を撤去して横孔空洞部の新たな閉塞端面を形成する型枠撤去工程と、
該新たな閉塞端面を基に上記型枠組立工程から型枠撤去工程までの全工程を１回または複数回繰り返して横穴空洞部を発泡ウレタンで埋めることを特徴とする横穴空洞部の充填方法。
次ぎに、請求項２の発明では、
型枠組立工程とウレタン注入工程が、区画空間の一部に発泡ウレタンを注入して硬化させる第１ウレタン注入工程と、
前記区画空間の発泡ウレタン注入側で区画空間を塞ぐ型枠を組み立てる型枠組立工程と、
前記塞がれた区画空間内に隙間無く発泡ウレタンを注入して硬化させる第２ウレタン注入工程とからなっていることを特徴とする。
請求項３の発明では、
横孔空洞部を施工現場で発泡ウレタンを製造しながら略隙間無く充填する充填方法であって、
ブロック型枠に発泡ウレタンを注入して硬化させウレタンブロックを製作するブロック製作工程と、
横孔空洞部の充填対象となる区画空間に前記ウレタンブロックを積み重ねて空洞部を埋める積重ね工程と
前記空洞部の壁面と積み重ねられたウレタンブロックとの間に形成された隙間の手前側の開口を隙間用型枠で覆って仕切る隙間用型枠組立工程と、
ウレタン注入装置により発泡ウレタンを前記隙間用型枠で仕切られた区画空間の隙間に注入して硬化させる隙間用注入工程とからなることを特徴とする。
請求項４の発明では、
横孔空洞部を施工現場で発泡ウレタンを製造しながら略隙間無く充填する充填方法であって、
ブロック型枠に発泡ウレタンを注入して硬化させウレタンブロックを製作するブロック製作工程と、
横孔空洞部の閉塞端面から充填対象となる区画空間を設定し、該区画空間に前記ウレタンブロックを積み重ねて空洞部を埋める積重ね工程と
前記空洞部の壁面と前記積み重ねられたウレタンブロックとの間に形成された隙間空間の手前側の開口部分を隙間用型枠で仕切る隙間用型枠組立工程と、
ウレタン注入装置により発泡ウレタンを前記隙間用型枠で仕切られた区画空間の隙間に注入して硬化させる隙間用注入工程と、
前記隙間用型枠を撤去して新たな閉塞端面を形成する隙間用型枠撤去工程とからなって、
該新たな閉塞端面を基に前記ブロック製作工程または前記積重ね工程から隙間用型枠撤去工程までの工程を１回または複数回繰り返して横穴空洞部を積み重ねられたウレタンブロックと隙間に充填された発泡ウレタンとで埋め戻してなることを特徴とする。
請求項５の発明では、
横孔空洞部を施工現場で発泡ウレタンを製造しながら略隙間無く充填する充填方法であって、
ブロック型枠に発泡ウレタンを注入して硬化させウレタンブロックを製作するブロック製作工程と、
上記製作されたウレタンブロックを横孔空洞部内に奥行き方向に向かって高くなるように階段状に積み重ねる階段状積重ね工程と、
ウレタン注入装置により発泡ウレタンまたはウレタンを前記ウレタンブロック相互および横穴空洞部の壁面との隙間に注入して硬化させ埋め戻してなることを特徴とする。
請求項６の発明では、
ブロック型枠工程が、上面が開放されて、ウレタンブロックを取り出し可能な開閉部を設けたボックス状のブロック型枠と、該ブロック型枠の内壁面に沿って広げられる合成樹脂製の袋状シートまたは袋体を用い、
該袋状シートまたは袋体の内部に発泡ウレタンを注入して硬化させブロック型枠の内周面に沿ったウレタンブロックを成形し、
ブロック型枠の開閉部を開いて該型枠からウレタンブロックを取り出して使用に供することを特徴とする。
請求項７の発明では、
隙間空間に充填される発泡ウレタンは、発泡率がウレタンブロックよりも低い原料を用いたことを特徴とする。
請求項８の発明では、
隙間用型枠組立工程と隙間用注入工程とが、横孔空洞部と、積み重ねられたウレタンブロックとの左右側方の隙間空間の手前側の開口を、発泡ウレタン充填用の注入孔を有しない側方型枠で覆う隙間用側方型枠組立工程と、
上記側方型枠で仕切られた隙間に発泡ウレタンを注入して硬化させる側方隙間用注入工程と、
横孔空洞部と積み重ねられたウレタンブロックの上方の隙間空間の手前側の開口を発泡ウレタン充填用の注入孔を有する上方型枠で覆う隙間用上方型枠組立工程と、上記注入孔から発泡ウレタンを注入して硬化させる上方隙間用注入工程とからなることを特徴とする。